(57)【要約】      （修正有）【課題】裁断装置等の処理装置から排出される用紙が長尺用紙であっても、ジャムが発生することなく、紙受け部に整然と揃えて積載することでできる用紙収納装置を提供する。【解決手段】処理装置の排紙部に対して装着可能に構成され、排紙部より排出される用紙Ｐを受け取り、下流に向けて搬送する中間搬送部５と、中間搬送部５より排出される用紙Ｐを積載可能な紙受け部１１とを備えた排紙収納装置１において、中間搬送部５は、排紙方向に沿う両端部が中央部に比べて高くなっている谷型の用紙受け面１１を有する排紙通路４０と、用紙受け面の中央部に空気吸入口３１を有し、負圧により空気吸入口３１から用紙中央部を吸引しながら搬送する吸引搬送部を備えた。【選択図】図２
2015105150.tif 000002
【特許請求の範囲】
【請求項１】
処理装置の排紙部より排出される用紙を受け取り、下流に向けて搬送する中間搬送部と、前記中間搬送部より排出される用紙を積載可能な紙受け部とを備えた排紙収納装置において、
前記中間搬送部は、排紙方向に沿う両端部が中央部に比べて高くなっている谷型の用紙受け面を有する排紙通路と、前記用紙受け面の中央部に空気吸入口を有し、負圧により前記空気吸入口から前記用紙中央部を吸引しながら搬送する吸引搬送部を有していることを特徴とする排紙収納装置。
【請求項２】
請求項１記載の排紙収納装置において、前記中間搬送部及び、紙受け部は、処理装置からの排出用紙の受入れ口から用紙排出方向に向けて、下方に傾斜していることを特徴とする排紙収納装置。
【請求項３】
請求項１又は２記載の排紙収納装置において、前記吸引搬送部は、排紙ベルトを有し、さらに、前記排紙ベルト上の用紙を上方より揺動自在に押圧する押圧部材を設けていることを特徴とする排紙収納装置。
【請求項４】
請求項１乃至３の何れかに記載の排紙収納装置において、前記紙受け部における用紙積載部は、前記用紙積載部の幅方向に沿って切断した断面形状をＶ字形状としたことを特徴とする排紙収納装置。
【請求項５】
請求項１乃至４の何れかに記載の排紙収納装置において、前記中間搬送部から紙受け部に排出される用紙排出経路途上に、前記排出された用紙に対して、上方より干渉する干渉部材を備えることを特徴とする排紙収納装置。
【請求項６】
請求項５記載の排紙収納装置において、前記干渉部材は、用紙排出方向に向けて下方に傾斜していることを特徴とする排紙収納装置。
【請求項７】
請求項１乃至６の何れかに記載の排紙収納装置において、前記処理装置とは、裁断装置のことであり、前記裁断装置から排出される用紙は、少なくとも１箇所以上、用紙幅方向にミシン目を有することを特徴とする排紙収納装置。
【請求項８】
請求項１乃至６の何れかに記載の排紙収納装置において、前記処理装置とは、裁断後の用紙の搬送方向長さが３０ｃｍを超える長尺用紙を裁断可能な裁断装置であることを特徴とする排紙収納装置。
【発明の詳細な説明】
【技術分野】
【０００１】
本発明は、裁断装置等の処理装置から排出された用紙を収納する排紙収納装置に関し、特に、長尺の用紙を収納できる排紙収納装置に関するものである。
【背景技術】
【０００２】
従来、裁断装置の一つの形態としては、連続用紙を順次移送しながらその所定切断箇所を連続的に切断する連続用紙処理装置（バースター装置）が知られている。上記連続用紙処理装置は、連続用紙を順次移送しながら、給紙ローラと排紙ローラとの回転速度の差によって、これらにわたって搬送される連続用紙を伸張させると同時に、両ローラ間に配設したバーストロール部に上記連続用紙のミシン目部分を突き当て、このミシン目を切断するものである。例えば、以下特許文献１に開示される。
【先行技術文献】
【特許文献】
【０００３】
【特許文献１】２００７−４５５８８号公報
【発明の概要】
【発明が解決しようとする課題】
【０００４】
上記、従来の連続用紙処理装置においては、裁断後の排出用紙の搬送方向サイズは、最大約３０ｃｍ程度を想定しており、図４に示した従来の連続用紙処理装置６０においては、前記仕様上の最大サイズを受容できる程度の紙受け部５０（紙受け台）が装置本体の用紙排出部に設置されている。
【０００５】
しかしながら、一部の使用者においては、裁断後の排出用紙として、上記仕様上の最大
サイズを超える長尺の用紙を処理したいという要望がある。この場合、上記標準仕様の紙受け台では、サイズ上前記排出用紙を受容することはできないという問題があった。この問題を解決するために、単に、紙受け台の搬送方向サイズを長尺の用紙を受容できるサイズまで伸ばしたとしても、装置本体から排出された長尺用紙は、その先端部が下方に垂れやすく、その結果、ジャムとなり、紙受け部に整然と揃えて積載することは困難であった。
【０００６】
特に、図６に示すように、連続用紙処理装置から排出される（矢印Ｑ方向）長尺用紙Ｐが、搬送方向と直角方向に少なくとも、一つ以上のミシン目３５がある場合、排出用紙が排出過程においてミシン目部分で折れてしまい、ジャムとなる可能性が高い。
【０００７】
本発明は上記の課題を解決するものであり、装置本体から排出される用紙が長尺用紙であっても、ジャムが発生することなく、紙受け部に整然と揃えて積載することでできる用紙収納装置を提供することを目的とする。
【課題を解決するための手段】
【０００８】
請求項１記載の発明は、処理装置の排紙部より排出される用紙を受け取り、下流に向けて搬送する中間搬送部と、前記中間搬送部より排出される用紙を積載可能な紙受け部とを備えた排紙収納装置において、前記中間搬送部は、排紙方向に沿う両端部が中央部に比べて高くなっている谷型の用紙受け面を有する排紙通路と、前記用紙受け面の中央部に空気吸入口を有し、負圧により前記空気吸入口から前記用紙中央部を吸引しながら搬送する吸引搬送部を有していることを特徴とする。
【０００９】
請求項２記載の発明は、請求項１記載の排紙収納装置において、前記中間搬送部及び、紙受け部は、処理装置からの排出用紙の受入れ口から用紙排出方向に向けて、下方に傾斜していることを特徴とする。
【００１０】
請求項３記載の発明は、請求項１又は２記載の排紙収納装置において、前記吸引搬送部は、排紙ベルトを有し、さらに、前記排紙ベルト上の用紙を上方より揺動自在に押圧する押圧部材を設けていることを特徴とする。
【００１１】
請求項４記載の発明は、請求項１乃至３の何れかに記載の排紙収納装置において、前記紙受け部における用紙積載部は、前記用紙積載部の幅方向に沿って切断した断面形状をＶ字形状としたことを特徴とする。
【００１２】
請求項５記載の発明は、請求項１乃至４の何れかに記載の排紙収納装置において、前記中間搬送部から紙受け部に排出される用紙排出経路途上に、前記排出された用紙に対して、上方より干渉する干渉部材を備えることを特徴とする。
【００１３】
請求項６記載の発明は、請求項５記載の排紙収納装置において、前記干渉部材は、用紙排出方向に向けて下方に傾斜していることを特徴とする。
【００１４】
請求項７記載の発明は、請求項１乃至６の何れかに記載の排紙収納装置において、前記処理装置とは、裁断装置のことであり、前記裁断装置から排出される用紙は、少なくとも１箇所以上、用紙幅方向にミシン目を有することを特徴とする。
【００１５】
請求項８記載の発明は、請求項１乃至６の何れかに記載の排紙収納装置において、前記処理装置とは、裁断後の用紙の搬送方向長さが３０ｃｍを超える長尺用紙を裁断可能な裁断装置であることを特徴とする。
【発明の効果】
【００１６】
請求項１記載の発明によれば、処理装置から排出される用紙が長尺用紙であっても、排紙収納装置における中間搬送部によって、排出される用紙をその排紙方向に対して垂直な断面で見てほぼＵ字形の弧状に湾曲させて、用紙の排紙方向に沿う見かけ上の剛性を増大させ、これにより用紙が排紙過程において垂れ下がることなく実質的に水平な姿勢を保って用紙積載部に落下させることができる。
【００１７】
請求項２記載の発明によれば、処理装置から排出される用紙を中間搬送部に、さらに、中間搬送部から排出される用紙を紙受け部に、それぞれ、スムーズに受渡しを行うことができる。
【００１８】
請求項３記載の発明によれば、押圧部材を設けることにより、中間搬送部から紙受け部に向けて排出される用紙が確実にＵ字形の弧状に湾曲するように形成できる。
【００１９】
請求項４記載の発明によれば、用紙積載部に落下した用紙は、用紙積載部の断面形状に沿ってＶ字状（Ｕ字状）に湾曲されながら、用紙積載部上に整然と揃えて積載されていく。したがって、積載される用紙の剛性を高めることができ、積載過程において用紙に皺が発生する等の集積不良を防止することができる。
【００２０】
請求項５記載の発明によれば、干渉部材を備えることにより、前記排出用紙を用紙積載部に着地するまでＵ字形の弧状に湾曲した状態を維持することができる。
【００２１】
請求項６記載の発明によれば、排出用紙の進行を必要以上に妨げることなく、Ｕ字形の弧状に湾曲した状態を維持することができる。
【００２２】
請求項７記載の発明によれば、処理装置として裁断装置を用い、裁断装置から排出される用紙が、少なくとも１箇所以上、用紙幅方向にミシン目を有する長尺用紙であった場合でも、排出用紙が排出過程においてミシン目部分で折れてしまうことなく、排出される用紙を、その排紙方向に対して垂直な断面で見てほぼＵ字形の弧状に湾曲させて、用紙の排紙方向に沿う見かけ上の剛性を増大させ、これにより用紙が排紙過程において垂れ下がることなく実質的に水平な姿勢を保って用紙積載部に落下させることができる。したがって、ジャムの発生を防ぐことができる。
【００２３】
請求項８記載の発明によれば、処理装置として、裁断後の用紙の搬送方向長さが３０ｃｍを超える長尺用紙を裁断可能な裁断装置を用いた場合であっても、排出される用紙を、その排紙方向に対して垂直な断面で見てほぼＵ字形の弧状に湾曲させて、用紙の排紙方向に沿う見かけ上の剛性を増大させ、これにより用紙が排紙過程において垂れ下がることなく実質的に水平な姿勢を保って用紙積載部に落下させることができる。したがって、ジャムの発生を防ぐことができる。
【図面の簡単な説明】
【００２４】
【図１】本発明の一実施形態に係る連続用紙処理装置及び排紙収納装置の概略構成図である。
【図２】排紙収納装置の斜視図である。
【図３】図１のＡ−Ａ線に沿う断面図である。
【図４】従来の連続用紙処理装置の概略構成図である。
【図５】本発明の排紙状態を示す説明図である。
【図６】従来の排紙状態を示す説明図である。
【発明を実施するための形態】
【００２５】
以下、本発明の実施の形態を図面に基づいて説明する。図１は、本発明の一実施例を採用した排紙収納装置を示している。同図において排紙収納装置１は、連続用紙処理装置２に装着されている。前記装着とは、排紙収納装置１と連続用紙処理装置２とを取付け板３６を介してビス止めにより互いに接続してもよいし、前記取付け板３６を用いることなく、単に、連続用紙処理装置２から排出される用紙を排紙収納装置１に受渡し可能な程度に近接配置してもよい。
【００２６】
先ず、排紙収納装置１が接続される裁断装置として、連続用紙処理装置２について、以下に簡単に説明する。
【００２７】
（連続用紙処理装置）
図１において、連続用紙処理装置２は、ピントラクター２４、スリッタ２５、バースター部２０などで構成される。
【００２８】
ピントラクター２４は連続用紙３の幅方向の両端に形成した一定間隔の用紙送り穴にピンを係合させて連続用紙３を移送するものであり、エンコーダー（不図示）によって用紙の送り量を計測する。
【００２９】
スリッタ２５はディスク状のスリッタ上刃２５ａとスリッタ下刃２５ｂを備えており、連続用紙３の用紙送り穴を含むマージン部を切り落とすものであり、連続用紙３の幅方向の両側に配置されており、マージン部の幅に応じて連続用紙３の幅方向に移動させる。
【００３０】
バースター部２０は連続用紙３に予め形成されたミシン目において連続用紙３を単位用紙に切断するものであり、連続用紙３の移送方向に沿って、前ゴムローラー部２１とバーストロール部２２と後ゴムローラー部２３を順次に配置している。
【００３１】
前ゴムローラー部２１では上下に移動可能に配置する上前ゴムローラー２１ａが自重で下前ゴムローラー２１ｂに接しており、上前ゴムローラー２１ａおよび下前ゴムローラー２１ｂがピントラクター２４と同一の周速で回転する。後ゴムローラー部２３では上下に移動可能に配置する上後ゴムローラー２３ａが下後ゴムローラー２３ｂとの間に微小間隙を設けて配置されており、上後ゴムローラー２３ａおよび下後ゴムローラー２３ｂが前ゴムローラー部２１よりも速い周速で回転する。
【００３２】
エンコーダーで計測する用紙の送り量が単位用紙の天地寸法に合わせて予め設定した所定送り量に達すると、連続用紙３のミシン目がバーストロール部２２に対応する。このとき、前ゴムローラー部２１では、不図示の押圧手段により、上前ゴムローラー２１ａが連続用紙３を介して下前ゴムローラー２１ｂに押圧され、後ゴムローラー部２３では上後ゴムローラー２３ａが連続用紙３を介して下後ゴムローラー２３ｂに押圧され、用紙が挟持される。
【００３３】
そして、後ゴムローラー部２３が前ゴムローラー部２１よりも速い周速で回転することにより、両者の相対速度差の結果として前ゴムローラー部２１と後ゴムローラー部２３との間で連続用紙３を引っ張り合うことになり、バーストロール部２２が連続用紙３のミシン目に当接することでミシン目において連続用紙３が切断される。
【００３４】
この切断と同時に前ゴムローラー部２１および後ゴムローラー部２３は復動して初期状態に戻り、切断された単位用紙が後ゴムローラー部２３によって排紙収納装置１における中間搬送部５に排出される。又、後続の連続用紙３が前ゴムローラー部２１によって移送されて、上述の動作が繰り返される。
【００３５】
尚、図１に示す本件発明においての連続用紙処理装置２の構成は、図４に示す従来の連続用紙処理装置６０の構成から、裁断後の用紙を装置本体から排出する為の排紙ローラ２７を取り除いたに過ぎず、その他の装置本体においての基本構成は同じである。連続用紙処理装置２においては、裁断後の用紙を装置本体から排出する為の排出手段として、中間搬送部５がその役割を果たす。
【００３６】
次に、本発明の特徴部である排紙収納装置１について説明する。
【００３７】
（排紙収納装置の全体構成）
図１、図２に示すように、排紙収納装置１は、装置本体１０と、中間搬送部５と、紙受け部１１とを有している。中間搬送部５と紙受け部１１は、装置本体１０に支持されている。
【００３８】
（中間搬送部の構成）
中間搬送部５は、排紙方向に沿う両端部が中央部に比べて高くなっている谷型の用紙受け面を有する排紙通路４０と、前記用紙受け面の中央部に空気吸入口３１を有し、負圧により前記空気吸入口から前記用紙中央部を吸引しながら搬送する吸引搬送部６を有している。
【００３９】
連続用紙処理装置２により裁断された用紙Ｐは、後ゴムローラー部２３により中間搬送部５に向けて装置外に排出される。前記中間搬送部５は、図２に示すように、連続用紙処理装置２からの排出用紙の受入れ口３０には、排紙ベルト１７が設けられている。尚、前記排紙ベルト１７による排紙速度は、後続の用紙との衝突を防ぐ為に、前記後ゴムローラー部２３による排紙速度より大きく設定されている。
【００４０】
図２の実施の形態においては、３本の排紙ベルト１７の間に上記空気吸入口３１を設けるように構成されているが、排紙ベルト１７に複数の開孔部を形成し、排紙ベルトの下方に設置した空気吸入口３１より排紙ベルトの開孔部を介して空気を吸入するように構成してもよい。
【００４１】
中間搬送部５の排紙方向Ｆの先端には、排紙される用紙Ｐに対してその両側縁部が上方に向かう向きの形態を与えるジャンプ板１６が、その用紙搬送方向下流側両側部に形成されている。また、前記排紙ベルト１７の内方の下部には、吸着ファン（図示せず）が設けられ、吸引搬送部６を構成している。そして、前記排紙ベルト１７、前記ジャンプ板１６及び吸着ファンにより用紙腰付部が形成され、図５に示すように、排出される用紙Ｐをその排紙方向（矢印Ｊ方向）に対して垂直な断面で見てほぼＵ字形の弧状に湾曲させて、用紙の排紙方向に沿う見かけ上の剛性を増大させ、これにより用紙が排紙過程において垂れ下がることなく実質的に水平な姿勢を保って紙受け部１１に落下させることができる。
【００４２】
図２に示すように、中間搬送部５においては、アーム支持板１９ａ、１９ｂにて軸１５を支持し、この軸１５のアーム支持板の内側にアーム部材１４を揺動自在に軸支する。そして、さらに、当該アーム部材１４の先端部には、排出用紙を押圧する押圧部材としての２つの押圧ローラ１３が回転自在に軸支されており、排紙ベルト１７上の用紙中央部を上方より揺動自在に押圧する。これにより、中間搬送部５から紙受け部１１に向けて排出される用紙が確実にＵ字形の弧状に湾曲するように、吸着ファンによる吸引力に加えて、さらに補充的に荷重を付加する。
【００４３】
前記押圧ローラ１３に替えて、排紙ベルト１７中央部の上方に所定の隙間（例えば、約１ｍｍ）をあけて搬送ガイドを設けるように構成してもよい。これにより、中間搬送部５から紙受け部１１に向けて排出される用紙中央部が上方に浮き上がることを規制することができ、用紙が確実にＵ字形の弧状に湾曲するように形成することができる。
【００４４】
尚、前記中間搬送部５は、図１に示すように、連続用紙処理装置２からの排出用紙の受入れ口３０から用紙排出方向Ｆに向けて、下方に傾斜しており、連続用紙処理装置２から排出される用紙を中間搬送部５に、スムーズに受渡しすることができる。
【００４５】
したがって、図５に示すように、少なくとも１箇所以上、用紙幅方向にミシン目３５を有する長尺用紙であった場合でも、排出用紙が排出過程においてミシン目部分で折れてしまうことなく、排出される用紙Ｐを、その排紙方向に対して垂直な断面で見てほぼＵ字形の弧状に湾曲させて、用紙の排紙方向に沿う見かけ上の剛性を増大させ、これにより用紙が排紙過程において垂れ下がることなく実質的に水平な姿勢を保って紙受け部１１に落下させることができる。したがって、ジャムの発生を防ぐことができる。
【００４６】
（紙受け部）
図２は、紙受け部１１に排出された用紙Ｐが積載された状態を示しており、用紙Ｐの排紙方向先端部には用紙を突き当てて揃える為のストッパ３１が設置されている。前記ストッパ３１は、排出される用紙サイズに応じて、用紙搬送方向に設置位置を調整することが可能である。
【００４７】
中間搬送部５からＵ字形の弧状に湾曲した状態で排出された用紙は、中間搬送部５の下流に設けられた紙受け部１１に向けて落下していく。尚、前記紙受け部１１は、中間搬送部５から用紙排出方向Ｆに向けて、下方に傾斜している。これにより、中間搬送部５から排出される用紙を紙受け部１１に、スムーズに受渡しすることができる。
【００４８】
又、前記中間搬送部５から紙受け部１１に排出される用紙排出経路途上に、前記排出された用紙に対して、上方より干渉する干渉部材１８を備える。これにより、前記排出用紙を紙受け部１１に着地するまでＵ字形の弧状に湾曲した状態を維持することができる。さらに、図１に示すように、前記干渉部材１８にその一端を固定した薄板状弾性部材１９を用紙排出方向Ｆに傾斜して配置することにより、前記Ｕ字形の弧状に湾曲した状態を維持する効果がさらに向上する。前記薄板状弾性部材１９は、前記干渉部材１８上に複数配置するように構成してもよい。
【００４９】
尚、図２に示すように、前記干渉部材１８の搬送方向の上流側の一端は、中間搬送部５のアーム部材１４の搬送方向の下流側の一端に支持されている。又、前記干渉部材１８の搬送方向の下流側の他端は、支持部材３８の切欠き部３９においての支持部３７に支持されている。
【００５０】
前記紙受け部においての紙受け部１１に落下した用紙Ｐは、図３に示すように、用紙積載部３２の断面Ｖ字形状に沿ってＶ字状（Ｕ字状）に湾曲されながら、用紙積載部３２上に整然と揃えて積載されていく。したがって、積載される用紙Ｐの剛性を高めることができ、積載過程において用紙Ｐに皺が発生する等の集積不良を防止することができる。
【００５１】
上記構成の排紙収納装置１によれば、次のような効果を発揮できる。
【００５２】
（１）連続用紙処理装置２から排出される用紙が、その搬送方向長さが３０ｃｍを超える長尺用紙であっても、排紙収納装置１における中間搬送部５によって、排出される用紙をその排紙方向Ｆに対して垂直な断面で見てほぼＵ字形の弧状に湾曲させて、用紙の排紙方向に沿う見かけ上の剛性を増大させ、これにより用紙が排紙過程において垂れ下がることなく実質的に水平な姿勢を保って紙受け部１１に落下させることができる。
【００５３】
（２）前記紙受け部１１に落下した用紙は、用紙積載部３２の断面形状に沿ってＶ字状（Ｕ字状）に湾曲されながら、用紙積載部３２上に整然と揃えて積載されていく。したがって、積載される用紙の剛性を高めることができ、積載過程において用紙に皺が発生する等の集積不良を防止することができる。
【００５４】
尚、上述の実施例では、本件発明の排紙収納装置１が用いられる処理装置の一つの形態として、連続用紙処理装置（バースター装置）について説明したが、本発明は、それに限られるものではなく、シートカッター装置やプリンタ等に用いることが可能である。その際、特に長尺用紙を排出する場合に効果を発揮する。
【符号の説明】
【００５５】
１  排紙収納装置
２  処理装置
５  中間搬送部
６  吸引搬送手段
１１  紙受け部（用紙積載部）
３１  空気吸入口
４０  排紙通路
４５  排紙部
Ｆ  排紙方向
Ｐ  用紙（裁断後の排出用紙）
【図１】
2015105150.tif 000003
【図２】
2015105150.tif 000004
【図３】
2015105150.tif 000005
【図４】
2015105150.tif 000006
【図５】
2015105150.tif 000007
【図６】
2015105150.tif 000008